(57)【要約】【課題】ファスナーの咬合部分の一方の側に引き裂き可能な液密性を確保する部分を有するファスナーにおいて、優れた液密性及び手による確実な引き裂き性を有する加熱殺菌可能なファスナーを、生産性よく提供することである。【解決手段】互いに咬合可能な雄条及び雌条を有し、該雄条及び雌条の両側にそれぞれフランジ部が形成されている雄型ファスナーテープ及び雌型ファスナーテープから成るファスナーであって、該雄型ファスナーテープ及び雌型ファスナーテープの反開封側となるフランジ部同士が、引裂き性テープで接続されていることを特徴とするファスナー。【選択図】図１
2007261640.tif 000002
【特許請求の範囲】
【請求項１】
互いに咬合可能な雄条及び雌条を有し、該雄条及び雌条の両側にそれぞれフランジ部が形成されている雄型ファスナーテープ及び雌型ファスナーテープから成るファスナーであって、該雄型ファスナーテープ及び雌型ファスナーテープの反開封側となるフランジ部同士が、引裂き性テープで接続されていることを特徴とするファスナー。
【請求項２】
前記ファスナーテープが耐熱性樹脂から成り、加熱殺菌が可能である請求項１記載のファスナー。
【請求項３】
前記ファスナーテープの少なくとも引裂き性テープと接合される面がポリプロピレンから成ると共に、前記引裂き性テープが一軸延伸ポリプロピレンフィルムから成る請求項１又は２記載のファスナー。
【請求項４】
前記ファスナーテープの少なくとも引裂き性テープと接合される面がポリプロピレンから成ると共に、前記引裂き性テープが二軸延伸ポリプロピレンフィルムから成る請求項１又は２記載のファスナー。
【請求項５】
前記ファスナーテープの少なくとも引裂き性テープと接合される面がポリプロピレンから成ると共に、前記引裂き性テープが発泡ポリプロピレンフィルムから成る請求項１又は２記載のファスナー。
【請求項６】
前記ファスナーテープの少なくとも引裂き性テープと接合される面がポリプロピレンから成ると共に、前記引裂き性テープが少なくとも一部を熱処理した無延伸ポリプロピレンフィルムから成る請求項１又は２記載のファスナー。
【請求項７】
可撓性フィルムの周縁部をヒートシールすることによって形成される包装袋において、該ヒートシール部よりも内側の一部に請求項１乃至６の何れかに記載のファスナーが、引裂き性テープが包装袋中側に位置するように包装袋内面に接合されていると共に、該ファスナー接合部に対応するヒートシール部分が開封可能に形成されていることを特徴とする包装袋。
【請求項８】
前記可撓性袋及びファスナーが耐熱性樹脂から成り、加熱殺菌が可能である請求項７記載の包装袋。
【発明の詳細な説明】
【技術分野】
【０００１】
本発明は、可撓性の包装袋に適用可能なファスナー及びこのファスナーを適用して成る包装袋に関するものであり、より詳細には、加熱殺菌の際の内容物の滲出を有効に防止することが可能なファスナー及び包装袋に関するものである。
【背景技術】
【０００２】
従来より、可撓性包装袋の一部の端縁付近に、互いに咬合可能な雄条及び雌条をそれぞれ有する雄型ファスナーテープ及び雌型ファスナーテープから成るファスナーを設け、ファスナー形成部よりも上方の端縁をヒートシールして成る包装袋が知られている。かかる包装袋は、最初に開封する際に、ファスナー形成部よりも上方のヒートシール部分を切断除去した後、ファスナーを開封して内容物を取り出し、必要に応じてファスナーを閉じてリシールすることができるものである。
しかしながら、かかるファスナーの雄条及び雌条の咬合のみでは完全な液密性を確保することは困難であり、例えば内容物が収容された部分に外部から圧力がかかった場合や、加熱殺菌された場合などには、内容物がファスナーの咬合部分から漏洩し、ファスナーとヒートシール部の間の空間に内容物がたまり、ヒートシール部分を切断除去する際に、内容物があふれたり、或いは飛び散ってしまうというような問題があった。
【０００３】
このような問題を解決するために、ジッパーテープ間の噛み合い部の上側位置及び下側位置のうち、少なくとも下側位置において、両ジッパーテープ間を手で剥離できる程度のヒートシール強度で界面剥離可能、或いは層間剥離可能、或いは凝集剥離可能に接合させて成るジッパー付き包装袋が提案されている(特許文献１)。またＵ字状に形成されたトラックの上端に沿って形成した雄条と雌条から成る咬合部をスライダーにより開閉する方式のファスナーを袋本体の口内に挿入し、このファスナーのトラックの位置の側面のみを袋本体の口内面にシールして袋本体の口を密封し、その後の開封は前記ファスナーを開き、前記トラックの中央部を引裂くことにより行い、その後の密封はファスナーで行うように構成して成るスライドファスナーを口内に取り付けて成る袋が提案されている(特許文献２)。
【０００４】
【特許文献１】特開２００４-１６８４２０号公報
【特許文献２】特開２００３-０５３８６０号公報
【発明の開示】
【発明が解決しようとする課題】
【０００５】
上記ファスナーを取り付けて成る包装袋は、それぞれファスナーの液密性を向上し、ファスナーとヒートシール部の間に内容物がたまってしまうことを防止し得るものであるが、上記特許文献１に記載されたファスナーでは、ジッパーテープ間を手で剥離できる程度のシール強度で接合させる必要があるため、少なくともファスナー内側の接合面側に特別な材料を用いる必要があり、特に充填、密封後に内容物を加熱殺菌処理する必要がある場合には、かかる加熱処理に応じた耐熱性をも具備する必要があるため、使用し得る材料が限定され、経済性に劣ると共に、レトルト殺菌のような高温条件下におかれた場合の液密性は充分でないという問題もある。
また一般に上述した形状を有するファスナーは異形押出成形法により成形されるが、上記特許文献２に記載されたファスナーでは、トラック中央部の引き裂かれる部分が他の部分に比して薄肉に形成され、比較的厚肉のファスナー部分とかかる薄肉の引き裂かれる部分とを同時に成形する必要があるため、薄肉部分の厚さを均一に形成させることが困難であり、薄くなりすぎてピンホールが形成されてしまったり、或いは品質を安定させようとすると、引き裂き部分の肉厚が厚くなって引き裂き性が損なわれるというように、生産性に劣るという問題がある。
【０００６】
従って本発明の目的は、ファスナーの咬合部分の一方の側に引き裂き可能な液密性を確保する部分を有するファスナーにおいて、優れた液密性及び手による確実な引き裂き性を有するファスナーを、上述したような問題を生じることなく提供することである。
本発明の他の目的は、レトルト殺菌のような高温加熱殺菌が可能であり、このような高温加熱殺菌に付された場合にも、ファスナーとヒートシール部の間の空間に内容物がたまることが有効に防止され、手による引き裂きが容易なファスナー付包装袋を提供することである。
【課題を解決するための手段】
【０００７】
本発明によれば、互いに咬合可能な雄条及び雌条を有し、該雄条及び雌条の両側にそれぞれフランジ部が形成されている雄型ファスナーテープ及び雌型ファスナーテープから成るファスナーであって、該雄型ファスナーテープ及び雌型ファスナーテープの反開封側となるフランジ部同士が、引裂き性テープで接続されていることを特徴とするファスナーが提供される。
本発明のファスナーによれば、
１．ファスナーテープが耐熱性樹脂から成り、加熱殺菌が可能であること、
２．ファスナーテープの少なくとも引裂き性テープと接合される面がポリプロピレンから成ると共に、前記引裂き性テープが一軸延伸ポリプロピレンフィルムから成ること、
３．ファスナーテープの少なくとも引裂き性テープと接合される面がポリプロピレンから成ると共に、前記引裂き性テープが二軸延伸ポリプロピレンフィルムから成ること、
４．ファスナーテープの少なくとも引裂き性テープと接合される面がポリプロピレンから成ると共に、前記引裂き性テープが発泡ポリプロピレンフィルムから成ること、
５．ファスナーテープの少なくとも引裂き性テープと接合される面がポリプロピレンから成ると共に、前記引裂き性テープが少なくとも一部を熱処理した無延伸ポリプロピレンフィルムから成ること、
が好適である。
【０００８】
本発明によれば更に、可撓性フィルムの周縁部をヒートシールすることによって形成される包装袋において、該ヒートシール部よりも内側の一部に上記ファスナーが、引裂き性テープが包装袋中側に位置するように包装袋内面に接合されていると共に、該ファスナー接合部に対応するヒートシール部分が開封可能に形成されていることを特徴とする包装袋が提供される。
本発明の包装袋においては、可撓性袋及びファスナーが耐熱性樹脂から成り、加熱殺菌が可能であることが好適である。
【発明の効果】
【０００９】
本発明のファスナーによれば、加熱殺菌に付された場合にも、内容物がファスナーを通過してしまうことが有効に防止され、液密性が確実に確保されると共に、成形が容易であり生産性に優れている。ファスナーの咬合を解除した後破断する引裂き性テープの引裂き性に優れているため、開封性にも優れている。
特にファスナーテープの少なくとも引裂き性テープの接合される面がポリプロピレンからなる場合には、引裂き性テープが、一軸延伸ポリプロピレンフィルム、二軸延伸ポリプロピレンフィルム、発泡ポリプロピレンフィルム、少なくとも一部を熱処理した無延伸ポリプロピレンフィルムの何れかから成ることにより、確実な液密性を確保しながら、引裂き性テープを一層容易に引裂くことが可能になると共に、レトルト殺菌のような高温加熱殺菌にも耐える耐熱性を具備することができる。
更に本発明の包装袋は、リシール性をも有しているため、経腸栄養剤や流動食等のように、加熱殺菌が必須であると共に、使用時に内容物を水等で薄めて使用する用途等に好適に使用することができる。
【発明を実施するための最良の形態】
【００１０】
本発明のファスナーを添付図面に基づいて説明する。
図１は、本発明のファスナーの一例の側断面図である。
全体を１で表す本発明のファスナーは、雄型ファスナーテープ２及び雌型ファスナーテープ３、及びこの雄型ファスナーテープ２及び雌型ファスナーテープ３を繋ぐ引裂き性テープ４から成っている。
雄型ファスナーテープ２は、図１の紙面の手前から奥に向かって延びる雄条２１、及び雄条２１の両側に位置する上部フランジ部２２及び下部フランジ部２３から成っており、一方、雌型ファスナーテープ３は、雄条２１を嵌合し得る凹部を有し、雄型ファスナーテープ２と同様に、図１の紙面の手前から奥に向かって延びる雌条３１、及び雌条３１の両側に位置する上部フランジ部３２及び下部フランジ部３３から成っている。また雄型ファスナー２及び雌型ファスナー３のそれぞれの上部フランジ部２２及び３２の咬合面側には、ファスナーの咬合又は解除する際の滑り止めとなる、リブ２４及び３４がそれぞれ形成されている。
【００１１】
この態様においては、引裂き性テープ４は、内容物側となる、雄型ファスナーテープ２の下部フランジ部２３の反咬合面２３ａの下端及び雌型ファスナーテープ３の下部フランジ部３３の反咬合面３３ａの下端に、相対する端縁部分４１ａ，４１ｂがそれぞれ接合されて、雄型ファスナーテープ２及び雌型ファスナーテープ３を接続している。
この引裂き性テープ４は、雄型ファスナー２及び雌型ファスナー３と接合されていない部分４２の中央部において、雄条及び雌条の方向と同一方向に向かって容易に破断し得る易引裂き性を有している。
【００１２】
図２は、図１に示すファスナーテープを可撓性袋５に適用した場合の一例である。
全体を５で表す可撓性袋は、相対する２つの樹脂フィルム５１ａ，５１ｂの端部がヒートシールにより接合されており、ヒートシール部５２の下部に、切断が容易な開封予定部５３が形成されている。この開封予定部５３よりも包装袋の内方には、図１に示す本発明のファスナーが、雄型ファスナーテープ２の上部フランジ２２の反咬合面２２ａ及び雌型ファスナーテープ３の上部フランジ３２の反咬合面３２ａのそれぞれの上部において、樹脂フィルム５１ａ，５１ｂの内面と接合されている。
図２に示すように、可撓性袋内の内容液Ｌは、引裂き性テープ４によって、液密に保持されているため、ファスナーの雄条２１及び雌条３１の咬合部６と引裂き性テープ４の間に形成される空間７内に侵入することがなく、当然のことながら、ヒートシール部５２とファスナーの雄条２１及び雌条３１の咬合部６の間に形成される空間８に内容液が存在してしまうことはない。
【００１３】
図２に示す可撓性袋５を開封するには、まず図２に示すヒートシール部５２を開封予定部５３に沿って切断除去する。この際本発明のファスナーテープによれば、ヒートシール部５２とファスナーの咬合部６の間に内容液が漏洩していることがないので、開封予定部５３を切断除去する際に、内容液が流れ出たり、飛散するような事態を生じることがない。
次いで図３に示すように、ファスナーの雄条２１及び雌条３１の咬合を解除した後、図４に示すように引裂き性テープ４を切断することにより、内容液の取出しが可能となる。
またファスナーの雄条２１及び雌条３１を再度咬合させることにより、リシールが可能となる。
【００１４】
本発明のファスナーテープは、図１乃至図３に示す態様に限定されず、種々の変更を行うことができる。
例えば、図５に示す本発明のファスナーテープ１は、雄型ファスナー２及び雌型ファスナー３の形状は図１に示すファスナーテープと同一であるが、引裂き性テープ４の接合位置が図１とは異なり、雄型ファスナーテープ２及び雌型ファスナーテープ３の下部フランジ部２３及び３３の咬合面に引裂き性テープ４の端縁が接合され、引裂き性テープ４の一部が雄型ファスナーテープ２及び雌型ファスナーテープ３の下部フランジ部下端２５及び３５より突出している態様である。
また図６に示す本発明のファスナーテープ１は、図５に示すファスナーテープとその形状はほぼ同じであるが、引裂き性テープ４が雄型ファスナー２及び雌型ファスナー３の下部フランジ部下端２５及び３５よりも下方に突出していない態様である。この態様によれば、雄型ファスナー２及び雌型ファスナー３に引裂き性テープ４が接合された状態で取り扱う際に、引裂き性テープが他の物体と接触等して破損することを有効に防止することができる。
【００１５】
（ファスナーテープ）
本発明のファスナーテープを構成する材料としては、適度の柔軟性と剛性を有することが必要であり、これに限定されないが、ポリプロピレン、ポリエチレン等のオレフィン系樹脂を好適に用いることができる。
特に本発明においては、加熱殺菌の際の内容液の漏洩を有効に防止し得るものであることから、ファスナーテープは耐熱性を有する樹脂から成ることが好ましく、ボイル殺菌（８０〜９５℃）のような比較的低温の加熱殺菌を前提とする場合には、ポリエチレンから成ることもできるが、特にレトルト殺菌（１０５〜１３５℃）のような高温湿熱条件下での加熱殺菌が可能な耐熱性を具備させるためには、ポリプロピレンであることが好ましい。これにより、加熱殺菌後においてもファスナーの変形を防止でき、咬合性を確保することが可能となる。
またファスナーテープは上記樹脂の単層構成で形成されていてもよいが、可撓性袋との接合面或いは引裂き性テープとの接合面となるべき部分に、比較的低融点のヒートシール性樹脂から成る層を有する積層構造とすることもできる。
かかる雄型ファスナーテープ及び雌型ファスナーテープは上記樹脂の異形押出成形により成形することができる。
【００１６】
（引裂き性テープ）
本発明のファスナーに用いる引裂き性テープとしては、雄型ファスナーテープの雄条及び雌型ファスナーテープの雌条方向に対して直角方向に容易に手で引裂き可能であれば、制限なく使用することができるが、例えば一軸又は二軸に延伸されたフィルムを用いることにより引裂き性を向上させることができる。
本発明においては、加熱殺菌、特にレトルト殺菌にも耐え得る耐熱性を有していることが好ましいことから、前述した通り、ファスナーテープはポリプロピレンから成ることが好ましく、このため、引裂き性テープも接合が容易であると共に耐熱性を有するであることが好ましいことから、同種の樹脂からなることが好ましく、特に一軸延伸ポリプロピレンフィルム、二軸延伸ポリプロピレンフィルム、発泡ポリプロピレンフィルム、少なくとも一部を熱処理した無延伸ポリプロピレンフィルムの何れかから成ることが好ましい。
【００１７】
一軸延伸ポリプロピレンフィルムは、雄条及び雌条の方向に延伸することにより、ファスナーテープの咬合を解除するように、雄条及び雌条方向に対して直角方向に広げることにより、雄条及び雌条方向に容易に引裂くことができ、しかも一軸延伸ポリプロピレンフィルムは、後述する熱処理無延伸ポリプロピレンフィルムのように、後処理を必要としないので、生産性にも優れている。
一軸延伸ポリプロピレンフィルムの厚みは特に限定されないが、１０乃至１００μｍの範囲にあることが好ましい。
【００１８】
一軸延伸ポリプロピレンフィルムは、雄条及び雌条の方向及びこれに直角な方向に延伸することにより、ファスナーテープの咬合を解除するように、雄条及び雌条方向に対して直角方向に広げることにより、雄条及び雌条方向に容易に引裂くことができ、しかも二軸延伸ポリプロピレンフィルムは、後述する熱処理無延伸ポリプロピレンフィルムのように、後処理を必要としないので、生産性にも優れている。
二軸延伸ポリプロピレンフィルムの厚みは特に限定されないが、１０乃至１００μｍの範囲にあることが好ましい。
【００１９】
また発泡ポリプロピレンフィルムは、ポリプロピレンフィルム内に気泡が多数存在することによりフィルムの伸びが抑制されており、容易に引裂くことが可能となる。
発泡ポリプロピレンフィルムは、ポリプロピレンに従来公知の発泡剤を配合してフィルムを形成し、これを発泡剤の分解温度以上に加熱することにより、発泡剤が分解してガスを発生し、フィルム内に多数の気泡を形成することが可能となる。
発泡剤としてはこれに限定されないが、アゾジカルボンアミド、ベンゼンスルホニルヒドラジド等従来公知のものを挙げることができる。
発泡ポリプロピレンフィルムの厚みは、特に限定されないが、５０乃至１５０μｍの範囲にあることが好ましい。
【００２０】
更に、少なくとも一部を熱処理した無延伸ポリプロピレンフィルムは、無延伸ポリプロピレンフィルムの少なくとも一部、例えば図７に示すように、雄条及び雌条方向に延びる引裂き性テープ４の中央部分４２を、熱処理した後冷却することにより成形することができる。無延伸ポリプロピレンフィルムは伸びやすいため、引裂き性に劣っているが、かかる無延伸ポリプロピレンを熱処理すると、加熱によってフィルムの伸び特性を変化させることができ、フィルムの伸びを抑制して引裂き性を向上させることが可能となる。
熱処理条件は、用いる無延伸ポリプロピレンの融点以上の温度で、０．１乃至１０秒程度加熱すればよく、加熱後、放冷もしくは適度な冷却を行うことにより製造することができる。
【００２１】
（ファスナー）
本発明のファスナーは、上述した雄型ファスナーテープ及び雌型ファスナーテープから成るファスナーテープに引裂き性テープを接合することにより成形することができる。
引裂き性テープのファスナーテープへの接合位置は上述した通りであるが、接合方法としては、ファスナーテープの接合面と引裂き性テープを同種の樹脂から形成し、これを熱接着する方法の他、接着剤を用いて接合することができる。
接着剤としては、エポキシ系接着剤、フェノール系接着剤、ウレタン系接着剤、アクリル系接着剤等の熱硬化型の接着剤が、レトルト殺菌のような高温湿熱条件下にも耐え得るので好ましい。尚、ボイル殺菌のように比較的低温の加熱殺菌による場合には、ホットメルト接着剤を用いることもできる。
【００２２】
ファスナーの成形は、例えば図１に示すように引裂き性テープがファスナーテープの反咬合面に接合される態様においては、図８に示すように、雄型ファスナーテープ２及び雌型ファスナーテープ３の咬合を解除して平面状に開いた状態で、引裂き性テープの相対する端縁上にそれぞれの下部フランジ部を接合することにより成形することができる。
また図６に示したように、引裂き性テープが雄型ファスナーテープ２及び雌型ファスナーテープ３の咬合面に接合され、且つ引裂き性テープ４が雄型ファスナーテープ下端２５及び雌型ファスナーテープ下端３５から突出しない態様においては、図９に示すように、雄型ファスナーテープ２及び雌型ファスナーテープ３の咬合を解除して平面状に開いた状態で、雄型ファスナーテープ下端２５及び雌型ファスナーテープ下端３５を重ねた上に引裂き性テープ４を設置して、雄型ファスナーテープ２及び雌型ファスナーテープ３のそれぞれの下部フランジ部２３及び３３に接合することにより成形することができる。
【００２３】
(包装袋）
本発明の包装袋は、可撓性フィルムの周縁部をヒートシールすることによって形成される包装袋のヒートシール部よりも内側の一部に、上記ファスナーが、引裂き性テープが包装袋中側に位置するように包装袋内面に接合されていると共に、該ファスナー接合部に対応するヒートシール部分が開封可能に形成されて成るものである。
【００２４】
本発明のファスナーを適用する包装袋としては、熱可塑性樹脂から成る単層フィルムやこれらのフィルムの積層体、或いは熱可塑性樹脂フィルムとアルミ箔などの金属箔との積層体等、従来公知のパウチ、バッグ等の可撓性包装体に用いられていたすべての包装袋に適用できるが、少なくともファスナーと接合される内面側がファスナーと同種の樹脂から成ることで熱接着が可能であり、成形性の点から好ましいが、もちろん、接着剤により接合することもでき、その場合にはこの限りではない。
本発明においては、特に耐熱性の点から、少なくとも内面側となる面がポリプロピレン或いはポリエチレンから成るものであることが好ましい。
【００２５】
本発明の包装袋は、可撓性フィルムの周縁をヒートシールすることによって形成されるが、かかるヒートシール部よりも内側の一部にファスナーが、引裂き性テープが包装袋中側に位置するように、ファスナーテープの上部フランジ部が包装袋内面に接合されることにより一体的に成形することができる。
ファスナーが設置されたヒートシール部には、かかるヒートシール部を切断除去するための破断容易な開封予定部が形成されている。この開封予定部は、引裂き性を有していることが開封性の点から好ましく、一軸又は二軸延伸フィルムを用いてもよいし、フィルム外表面に微小なキズを付けて破断性を向上させてもよい。またかかる包装袋の開封予定部の端部に切り欠きを入れることにより、より開封操作が容易になる。
【００２６】
包装袋の形状は特に制限はなく、２枚の可撓性フィルムの四辺をヒートシールして成るものでもよいし、底部を設けたスタンディングタイプの包装袋であってもよい。更に上部或いは下部に、本発明のファスナーが形成された開封予定部とは別に、スパウトなどの内容物取出しのための開口を設けることもできる。
本発明の包装袋は特に、経腸栄養剤や流動食等を内容物とする包装袋に好適に使用することができる。すなわち、このような内容物においてはレトルト殺菌等の加熱殺菌が必須であり、更に内容物を水等で薄めてから使用することがあることから、本発明の包装袋によれば、開封予定部を切断除去し、ファスナーを解除して、水等を注入し、リシールした後、開封予定部側を上部として吊り下げ、開封予定部とは反対側の位置に形成されたスパウトから内容物を使用することが可能となるのである。
【図面の簡単な説明】
【００２７】
【図１】本発明のファスナーの一例を示す側断面図である。
【図２】本発明のファスナーを可撓性袋に適用した包装袋を説明するための図である。
【図３】図２に示した包装袋の開封操作を示す図である。
【図４】図２に示した包装袋の開封操作を示す図である。
【図５】本発明のファスナーの他の一例を示す側断面図である。
【図６】本発明のファスナーの他の一例を示す側断面図である。
【図７】本発明のファスナーに用いる引裂き性テープの一例を示す図である。
【図８】図１に示すファスナーの製造方法を示す図である。
【図９】図６に示すファスナーの製造方法を示す図である。
【符号の説明】
【００２８】
１  ファスナー、２  雄型ファスナーテープ、３  雌型ファスナーテープ、４  引裂き性テープ、５  可撓性袋、６  咬合部、７  空間、８  空間、２１  雄条、２２  上部フランジ部、２３  下部フランジ部、２４  リブ、２５  下部フランジ部下端、３１  雌条、３２  上部フランジ部、３３  下部フランジ部、３４  リブ、３５  下部フランジ部下端、４２  中央部分、５１  可撓性フィルム、５２  ヒートシール部、５３  開封予定部。
【図１】
2007261640.tif 000003
【図２】
2007261640.tif 000004
【図３】
2007261640.tif 000005
【図４】
2007261640.tif 000006
【図５】
2007261640.tif 000007
【図６】
2007261640.tif 000008
【図７】
2007261640.tif 000009
【図８】
2007261640.tif 000010
【図９】
2007261640.tif 000011